(57)【特許請求の範囲】
【請求項１】
送信すべき音声とデータとを予め記憶する記憶手段、音声とデータとを同時に送受信可能なデータ転送手段、前記データ転送手段によって音声を送信せずに前記記憶手段に記憶されたデータを送信している間に与えられた指示に応じて送信中のデータに加えて前記記憶手段に記憶された音声を同時に送信させるように前記データ転送手段を制御する制御手段とを有することを特徴とするマルチメディア通信装置。
【請求項２】
前記与えられた指示は受信側から送信されて与えられた指示であることを特徴とする請求項１のマルチメディア装置。
【請求項３】
記憶部に記憶された音声と文書データとを、音声とデータを同時に転送可能なデータ転送手段によって通信する装置であって、前記文書データの送信の所要時間より音声の送信の所要時間の方が短い場合には、文書データの送信を開始し、その後、受信側から音声送信開始通知が送られてくるか、文書データの送信の残り時間が音声の送信の所要時間と等しくなった時点で、音声の送信を開始することを特徴とする、マルチメディア通信装置。
【請求項４】
受信側においてはオフフック状態とした時点で前記音声送信開始通知を送信側に送ることを特徴とする請求項３のマルチメディア通信装置。
【請求項５】
音声付き文書を送信するときに、文書の送信の所要時間より音声の送信の所要時間の方が短い場合には、前記音声の送信前に音声付き文書である旨を通知する音声データを文書と同時に送信することを特徴とする請求項３のマルチメディア通信装置。
【発明の詳細な説明】
【０００１】
【産業上の利用分野】
本発明はマルチメディア通信装置に関する。
【０００２】
【従来の技術】
コンピュータなどに接続するモデムでは音声とデータ（ファイル転送やファクス）とが同時に送信あるいは受信できるモデムがあり、これをつけると電話をかけながらファクス文書を送ったりファイル転送をしたりすることができる。一方、データモデムを使って音声メッセージ付き文書をファイル転送し、受信したほうは転送が終了してから文書を見るとともに付属の音声メッセージを聞くことが行われている。ところがこの方法だと受け手側はすべての通信処理が終了してからでないと文書も音声も出力、再生できない。文書に関しては、いわゆるファクスで受信すれば受信中にラスタ単位で紙に順次表示されていくところを見ることができる。音声に関しても同様に文書と同時にスピーカから再生するなどは可能である。
【０００３】
【発明が解決しようとする課題】
しかし、文書と音声を同時に送信あるいは受信する際、受信側で受信開始と同時に文書の出力と音声の再生を行うと、音声ははじめの部分を聞き逃したとしてもその場では元に戻して聞き直すことができない。一方、音声を記憶部に記録しておけば後から再生することができるが、これだと通信が終了してからしか音声メッセージを聞くことができない。
【０００４】
本発明はかかる問題を解決し、任意のタイミングで音声メッセージを聞くことができる装置の提供を目的とする。
【０００５】
【課題を解決するための手段】
又、かかる目的を達成するため本出願の第１の発明は
送信すべき音声とデータとを予め記憶する記憶手段音声とデータとを同時に送受信可能なデータ転送手段、前記データ転送手段によって音声を送信せずに前記記憶手段に記憶されたデータを送信している間に与えられた指示に応じて送信中のデータに加えて前記記憶手段に記憶された音声を同時に送信させる様前記データ転送手段を制御する制御手段とを有することを特徴とする。
【０００６】
又本出願の第２の発明は
記憶部に記憶された音声と文書データとを音声とデータを同時に転送可能なデータ転送手段によって通信する装置であって前記文書データの送信の所要時間より音声の送信の所要時間の方が短い場合には、文書データの送信を開始し、その後受信側から音声送信開始通知が送られてくるか、文書データの送信の残り時間が音声の送信の所要時間と等しくなった時点で、音声の送信を開始することを特徴とする。
【０００７】
【実施例】
図１は本発明の一実施例のブロック図である。
【０００８】
図中、１は制御部、２は記憶部であり、文書データ及び音声データを格納する。３は音声とデータとを同時に送受信できるデータ転送手段の一例の音声・データモデム、４はスピーカー、５はハンドセットのフック、６は印刷部、７は装置への指示を入力するための入力部、１１はデータ制御手段、１２はスピーカへ音声データを出力する音声出力手段、１３は通信制御手段、１４は文書出力手段、１５は文書データ読み書き手段、１６は音声データ読み書き手段、１７はフック５のＯＮ／ＯＦＦを検出する手段、１８は時計、記憶部２内の２１は文書データ格納領域、２２は音声データ格納領域、２４は固定の音声メッセージを格納する格納領域である。
【０００９】
次に本発明の一実施例の装置の送信時の処理フローを図２に示す。
【００１０】
まず、文書データが文書データ格納領域２１に、音声データが音声データ格納領域２２にそれぞれ格納されている状態で、文書と音声の混合データの送信が、入力部７から指示されると、データ制御手段１１が１５、１６の読み書き手段で文書と音声のデータのデータサイズを読みとる。かかるデータサイズに従って文書、音声の各データの送信に必要な所要時間（Ｔｄ，Ｔｖ）を計算する（Ｓ−１、Ｓ−２）。データ制御手段１３が通信相手と初期プロトコルを開始する（Ｓ−３）。初期プロトコルが終了したら、１１データ制御手段で先程計算した所要時間ＴｄとＴｖを比較し（Ｓ−４）、音声データの方が送信にかかる所要時間（Ｔｖ）が文書のそれ（Ｔｄ）よりも大きいまたは等しい場合、通信制御手段１３が音声データと文書データと混合して送信を開始する様に音声データモデム３に情報を出力する（Ｓ−１０）。ここで、文書データと音声データは１５、１６が２１、２２から読み込んで順次送信する。
【００１１】
一方、音声データの送信にかかる所要時間（Ｔｖ）が文書のそれ（Ｔｄ）よりも小さい場合、１３通信制御手段が音声データ格納領域２２に格納されている音声データの代わりに、送信したいデータが音声付き文書であることを通知するための固定の音声メッセージ（例えば「音声付きファクスです」など）を音声データとして文書データと混合して音声データモデム３によって送信を開始する（Ｓ−５）。ここで、固定の音声メッセージは１６が２４から、文書データは１５が２１から読み込んで順次送信する。データ制御手段１１はこの時点で時計１８から送信開始時刻を得ておく（Ｓ−６）。データの送信を開始するとすぐに、通信制御手段１３が受信側から音声データ開始依頼コマンドが送られてくるかどうかの監視をはじめる（Ｓ−７）。１１は１８から逐次現在時刻を得て（Ｓ−８）データの送信開始からの経過時間を計算し、（Ｔｄ−Ｔｖ）と比較する。経過時間が（Ｔｄ−Ｔｖ）と等しくなった時点（Ｓ−９）で、今度は本来送るべき音声データを文書データと混合して送信を開始する。混合データの送信が終了したら（Ｓ−１１）通信制御手段１３が通信の終了プロトコルを実行する（Ｓ−１３）。
【００１２】
かかる実施例の装置の受信時における動作を次に説明する。
【００１３】
受信時においては、通信制御手段１３が受信を検知すると初期プロトコルを実行し、データが送られてくると、文書データ部と音声データ部とに分けて、文書データ部の方は文書出力手段１４が印刷部６に印刷し、音声データの方は音声出力手段１２でスピーカ４に再生するとともに音声データ読み書き手段１６で音声データ格納領域２２に書き込む。ここでハンドセットをあげてオンフックするとフックＯＮ／ＯＦＦ検出手段１７がハンドセットフック５からそれを検出し、データ制御手段１１が音声データ送信開始依頼コマンドをモデム３を通じて送る。
【００１４】
かかる開始依頼コマンドに応じて送信側では図２のＳ−７からＳ−１０のステップへ分岐するので音声データが送信されてくる。したがって文書に付随した音声を聞くことができる。
【００１５】
以上説明した様に本実施例では送信するときは、文書の送信の所要時間より音声の送信の所要時間の方が短い場合に、まず文書の送信を開始し、受信側から音声送信開始通知が送られてくるまで待ってから、音声の送信を開始する。
【００１６】
受信側では、音声付き文書を受信したと判断すると、あるスイッチが押されたとか、ハンドセットをとった（オンフックした）といったきっかけで音声送信開始通知を送信側に送る。
【００１７】
したがって本実施例では受信側で文書の受信が始まったのを知ってからハンドセットをとるなどの合図をすることにより文書に付属の音声を受信中に聞くことができるようになった。又、受信側ではハンドセットをとる動作に限らず、例えば入力部７に対して所定の指示を与えるようにしてもよい。
【００１８】
【発明の効果】
本発明に依れば受信側において任意のタイミングで音声メッセージを聞くことができ、使い勝手が向上する。
【図面の簡単な説明】
【図１】本発明を実施する際のブロック図、
【図２】本発明を実施する際の送信時の処理フローチャート。
【符号の説明】
１  制御部
２  記憶部
３  音声・データモデム
４  スピーカー
５  ハンドセットのフック
６  印刷部
７  入力部
１１  データ制御手段
１２  音声出力手段
１３  通信制御手段
１４  文書出力手段
１５  文書データ読み書き手段
１６  音声データ読み書き手段
１７  フックＯＮ／ＯＦＦ検出手段
１８  時計
２１  文書データ格納領域
２２  音声データ格納領域
【図１】
0003566321.tif 000002
【図２】
0003566321.tif 000003